(57)【要約】【課題】検定証印および有効年月日を大きく、かつ見やすい位置に表示できる水道メータを提供する。【解決手段】蓋部２に凹部Ｄを形成し、検定証印表記部材４を嵌入し、固定する。検定証印表記部材４の表面には、検定試験に合格したことを証明する検定証印が有効期限とともに表記される。これにより、検定証印および有効期限を大きく表記でき、また、蓋部２を開けなくても見ることができる。さらに、検定証印および有効期限が土によって埋もれる等の不具合も生じにくい。【選択図】図４
2008064558.tif 000002
【特許請求の範囲】
【請求項１】
水道水の供給経路上に配置され、該水道水の積算使用量を表示する水道メータであって、
上部が開口した本体ケースと、
その本体ケースの内部に収納され、前記水道水の使用量を計量する計量部と、
前記本体ケースの上部開口から視認可能な位置に配置され、前記水道水の積算使用量を表示する積算表示部と、
前記本体ケースの前記上部開口を形成する縁部に対し、前記積算表示部を隠蔽する閉位置と、前記積算表示部が視認可能な開位置との間で開閉自在に取り付けられた蓋部と、
一方の主表面が、前記計量部および前記積算表示部が所定の検定試験に合格したことを証明する検定証印を有効期限とともに表記する表記面とされた板状又はシート状に形成され、前記蓋部の上面の予め定められた検定証印配置領域に固定的に配置されるとともに、表記部材側規制面が自身の厚さ方向露出面として形成された検定証印表記部材と、
前記蓋部に対し、該蓋部の厚さ方向に沿って蓋部側規制面を形成するとともに、該蓋部側規制面を前記表記部材側規制面と当接させることにより、前記検定証印表記部材を面内方向にて前記検定証印配置領域内に機械的に位置決め規制する検定証印表記部材面内位置決め部と、
を有してなることを特徴とする水道メータ。
【請求項２】
前記蓋部の前記検定証印配置領域に対応する位置に前記検定証印表記部材を収容する有底又は貫通形態の凹部が形成され、該凹部の内周面を前記蓋部側規制面とし、前記検定証印表記部材の外周面を前記表記部材側規制面とする形で、該蓋部の該凹部の内周面形成部が前記検定証印表記部材面内位置決め部を形成してなる請求項１記載の水道メータ。
【請求項３】
前記検定証印表記部材が前記凹部内に圧入固定されてなる請求項２記載の水道メータ。
【請求項４】
前記検定証印表記部材は少なくとも外周面において前記凹部の内周面に接着されてなる請求項請求項２記載の水道メータ。
【請求項５】
前記凹部の内周面が、深さ方向において蓋部下面側ほど面内断面積が縮小するように階段状又はテーパ状に形成されてなり、前記検定証印表記部材の外周面が前記凹部の内周面に対応する階段状又はテーパ状に形成されてなる請求項２ないし請求項４のいずれか１項に記載の水道メータ。
【請求項６】
請求項４に記載の要件を備え、前記凹部が前記蓋部を貫通する形態に形成されるとともに、該凹部の内周面と前記検定証印表記部材の外周面とが互いに嵌合形態で接着される階段状に形成されてなる請求項５記載の水道メータ。
【請求項７】
前記蓋部の前記検定証印配置領域内に該領域をなす蓋部上面から突出する位置決め突出部が形成され、他方、前記検定証印表記部材を厚さ方向に貫通する位置決め孔が形成され、前記位置決め突出部が前記位置決め孔に挿入されることで、前記位置決め突出部の外周面を前記蓋部側規制面とし、前記位置決め孔の内周面を前記表記部材側規制面とする形で、前記位置決め突出部が前記検定証印表記部材面内位置決め部を形成してなる請求項１記載の水道メータ。
【請求項８】
前記位置決め突出部を前記位置決め孔に挿入しつつ前記蓋部上に前記検定証印表記部材を位置決めした際に、前記位置決め突出部は先端部が前記検定証印表記部材の上面側に突出するようにその突出高さが定められてなり、かつ、該位置決め突出部の先端部に前記位置決め孔よりも径大となる熱加締め部が形成されてなる請求項７記載の水道メータ。
【請求項９】
請求項２記載の要件を備え、前記蓋部上面には前記凹部が有底形態に形成されるとともに、該凹部の底面に前記位置決め突出部が形成されてなる請求項８記載の水道メータ。
【請求項１０】
前記蓋部の前記検定証印配置領域の周縁に該領域をなす蓋部上面から突出する位置決め突出部が形成され、他方、前記検定証印表記部材の外周面に前記蓋部側規制面が形成され、前記位置決め突出部は自身の内側側面を前記蓋部側規制面とする形で前記検定証印表記部材面内位置決め部を形成してなる請求項１ないし請求項９のいずれか１項に記載の水道メータ。
【請求項１１】
前記位置決め突出部が前記検定証印配置領域の周方向に所定の間隔で複数形成され、他方、前記検定証印表記部材の外周面には、各位置決め突出部を挿通するためのガイド溝が厚さ方向に切欠状に形成されてなる請求項１ないし請求項９のいずれか１項に記載の水道メータ。
【請求項１２】
前記位置決め突出部の上端に前記検定証印表記部材の上面外周縁部と係合する係合爪が形成されている請求項１１記載の水道メータ。
【発明の詳細な説明】
【技術分野】
【０００１】
本発明は水道メータに関するものである。
【背景技術】
【０００２】
従来から、水道水の積算使用量を表示する水道メータが使用されている。この水道メータに表示された積算使用量に基づいて、水道料金の請求がされる。
【特許文献１】特開２００２−３１０７４１号公報
【０００３】
水道メータは、計量法で定められた検定試験に合格したものでないと、使用できないことになっている。この検定試験に合格した水道メータは、検定証印が有効期間満了年月日とともに表記される。
【０００４】
検定証印の表記方法の例を図１０に示す。図示するように従来の水道メータは、水道管１０１と本体ケース１０５との接続部に、金属線１０４を用いて封印玉１０３と呼ばれる透明な玉状の部材を接続している。この封印玉１０３の中に検定証印と有効期限が封入される。
【０００５】
また、蓋１０６を支持するリング（図示しない）に検定証印および有効期限を表記したり、検定証印等が表記されたシールを蓋１０６の裏面に貼り付ける場合もある。
【発明の開示】
【発明が解決しようとする課題】
【０００６】
一般に水道メータは地中に設置される。そのため、図１０に示す位置に封印玉１０３を取り付けると、上から確認しにくいという問題がある。また、封印玉１０３が土に埋設される場合があり、汚れて見にくくなる場合もある。
【０００７】
蓋１０６を支持するリングに検定証印および有効期限を表記した場合は、リングのスペースが狭いため、表記が小さくなって見にくい問題がある。また、蓋１０６の裏面にシール貼りした場合は、蓋１０６を開けなければ見ることができない。そのため、検定証印および有効期限を大きく、かつ見やすい位置に表示できる水道メータが望まれてきた。
【０００８】
また、検定証印および有効期限の表記は、簡単に取れないことが要求されている。従来の水道メータは図１０に示すように、封印玉１０３を金属線１０４で取り付けることにより、簡単に取れない構造になっている。従って、検定証印および有効期限を見やすい場所に表記した場合、その表記が封印玉１０３と同程度に取れにくい構造にされていることが要求される。
【０００９】
本発明の課題は、検定証印および有効期限を大きくかつ見やすい位置に表記できるとともに、その表記が取れにくい水道メータを提供することにある。
【課題を解決するための手段および発明の効果】
【００１０】
上記課題を解決するために本発明は、水道水の供給経路上に配置され、水道水の積算使用量を表示する水道メータであって、
上部が開口した本体ケースと、
その本体ケースの内部に収納され、水道水の使用量を計量する計量部と、
本体ケースの上部開口から視認可能な位置に配置され、水道水の積算使用量を表示する積算表示部と、
本体ケースの上部開口を形成する縁部に対し、積算表示部を隠蔽する閉位置と、積算表示部が視認可能な開位置との間で開閉自在に取り付けられた蓋部と、
一方の主表面が、計量部および積算表示部が所定の検定試験に合格したことを証明する検定証印を有効期限とともに表記する表記面とされた板状又はシート状に形成され、蓋部の上面の予め定められた検定証印配置領域に固定的に配置されるとともに、表記部材側規制面が自身の厚さ方向露出面として形成された検定証印表記部材と、
蓋部に対し、蓋部の厚さ方向に沿って蓋部側規制面を形成するとともに、蓋部側規制面を表記部材側規制面と当接させることにより、検定証印表記部材を面内方向にて検定証印配置領域内に機械的に位置決め規制する検定証印表記部材面内位置決め部と、
を有してなることを特徴とする。
【００１１】
上記発明によると、本体ケースの上部開口に蓋部が開閉自在に設けられ、その蓋部の上面の予め定められた位置に検定証印配置領域が形成される。そして、検定証印と有効期限を表記する表記面が形成された板状又はシート状の検定証印表記部材が、この検定証印配置領域に固定的に配置される。このようにすると、蓋部の上面に検定証印および有効期限が表示されるため、表示が土に埋設されにくくなり、また、蓋部を開けなくても外部から容易に確認することができる。さらに、検定証印および有効期限を大きく表示することができるため、見やすい。
【００１２】
また、蓋部には検定証印表記部材面内位置決め部が形成されている。この検定証印表記部材面内位置決め部によって蓋部の厚さ方向に沿って蓋部側規制面が形成されている。蓋部側規制面が表記部材側規制面と当接することにより、検定証印表記部材を面内方向にて検定証印配置領域に機械的に位置決め規制している。これにより、検定証印表記部材をしっかりと蓋部に固定することができる。
【００１３】
本発明は、蓋部の検定証印配置領域に対応する位置に検定証印表記部材を収容する有底又は貫通形態の凹部が形成され、凹部の内周面を蓋部側規制面とし、検定証印表記部材の外周面を表記部材側規制面とする形で、蓋部の凹部の内周面形成部が検定証印表記部材面内位置決め部を形成したものとすることができる。このようにすると、蓋部に形成された凹部に検定証印表記部材を収容するだけで、簡単に検定証印および有効期限を表記することができる。
【００１４】
この場合、検定証印表記部材を凹部内に圧入固定することができる。また、検定証印表記部材が少なくとも外周面において凹部の内周面に接着されたものとすることができる。このようにすると、検定証印表記部材の、蓋部からの脱離を防止できる。
【００１５】
また、凹部の内周面が、深さ方向において蓋部下面側ほど面内断面積が縮小するように階段状又はテーパ状に形成されてなり、検定証印表記部材の外周面が凹部の内周面に対応する階段状又はテーパ状に形成されたものとすることができる。この構成によると、検定証印表記部材を蓋部の上面から嵌入した際に、厚さ方向の位置合わせを容易に行うことができる。
【００１６】
さらに、凹部が蓋部を貫通する形態に形成されるとともに、凹部の内周面と検定証印表記部材の外周面とが互いに嵌合形態で接着される階段状に形成されたものとすることができる。この構成によると、検定証印表記部材を蓋部の上面から嵌入した際に、下面側への抜け落ちを防止することができる。また、接着されているため、検定証印表記部材が上方へ抜けることも無い。
【００１７】
また本発明の水道メータは、蓋部の検定証印配置領域内に領域をなす蓋部上面から突出する位置決め突出部が形成され、他方、検定証印表記部材を厚さ方向に貫通する位置決め孔が形成され、位置決め突出部が位置決め孔に挿入されることで、位置決め突出部の外周面を蓋部側規制面とし、位置決め孔の内周面を表記部材側規制面とする形で、位置決め突出部が検定証印表記部材面内位置決め部を形成したものとすることができる。このようにすると、位置決め孔に挿入された位置決め突出部により、検定証印表記部材の、検定証印配置領域における面内方向の位置決めを行うことができる。
【００１８】
さらに本発明の水道メータは、位置決め突出部を位置決め孔に挿入しつつ蓋部上に検定証印表記部材を位置決めした際に、位置決め突出部は先端部が検定証印表記部材の上面側に突出するようにその突出高さが定められてなり、かつ、位置決め突出部の先端部に位置決め孔よりも径大となる熱加締め部が形成されたものとすることができる。この構成によると、検定証印表記部材の位置決めを位置決め突出部により行うことができるとともに、熱加締め部によって、検定証印表記部材の上面側への脱離を防止できる。
【００１９】
さらに本発明の水道メータは、蓋部上面には凹部が有底形態に形成されるとともに、凹部の底面に位置決め突出部が形成されたものとすることができる。この構成によると、検定証印表記部材を上面から嵌入した際に、底部によって下面側への抜け落ちが防止されるとともに、位置決め突出部によって検定証印表記部材の面内方向への位置決めを行うことができる。
【００２０】
また、蓋部の検定証印配置領域の周縁に領域をなす蓋部上面から突出する位置決め突出部が形成され、他方、検定証印表記部材の外周面に蓋部側規制面が形成され、位置決め突出部は自身の内側側面を蓋部側規制面とする形で検定証印表記部材面内位置決め部を形成したものとすることができる。このようにすると、検定証印表記部材の外周縁部に位置決め突出部が位置するようになる。これにより、検定証印や有効期限の表記が位置決め突出部の先端によって見えにくくなることを防止できる。
【００２１】
より詳しくは、位置決め突出部が検定証印配置領域の周方向に所定の間隔で複数形成され、他方、検定証印表記部材の外周面には、各位置決め突出部を挿通するためのガイド溝が厚さ方向に切欠状に形成されたものとすることができる。位置決め突出部を周方向に複数個形成することにより、検定証印表記部材の位置決め及び固定を確実に行うことができる。
【００２２】
この場合、位置決め突出部の上端に検定証印表記部材の上面外周縁部と係合する係合爪を形成することができる。このようにすると、熱加締め工程をしなくても、検定証印表記部材を固定することが可能となる。
【発明を実施するための最良の形態】
【００２３】
本発明の実施形態を、図面を参照しながら以下に説明する。
図１は本発明に係る水道メータ１の外観図であり、図２は断面図である。図示するように水道メータ１は、上部が開口した本体ケース３と、その本体ケース３の内部に収納され、水道水の使用量を計量する計量部３５と、本体ケース３の上部開口５０から視認可能な位置に配置され、水道水の積算使用量を表示する積算表示部４０（図３参照）とを備える。また、本体ケース３の上部開口５０を形成する縁部に対し、積算表示部４０を隠蔽する閉位置と、積算表示部４０が視認可能な開位置との間で開閉自在に取り付けられた蓋部２を備える。
【００２４】
本体ケース３は上ケース３３と、下ケース１０とから構成されている。下ケース１０には、流入側ノズル１１ａと流出側ノズル１１ｂとが設けられ、そのうち流入側ノズル１１ａには、異物を除去するためのストレーナ１２が取り付けられている。また、下ケース１０の底部には十字状に突出した水平設置支え１３が形成され、内部の計量室Ａには羽根車１８が回転自在に設けられている。
【００２５】
また、羽根車１８の軸部上端にはマグネット１７が取り付けられている。下ケース１０の内部には、下ガスケット１９を挟んでレジスタボックス２０が組付けられている。
【００２６】
レジスタボックス２０には上台板２４、マグネット歯車２６、歯車列２７、指針２８、数字車２９が設けられ、レジスタボックス２０の上部に、Ｏリング３１を挟んでガラス板３０が設けられている。またマグネット歯車２６は、レジスタボックス２０の底壁を挟んで羽根車１８のマグネット１７に対向する位置に配置されている。
【００２７】
レジスタボックス２０の上部には、上ガスケット３２を挟んで上ケース３３が取り付けられ、下ケース１０に螺子固定されている。また、上述した蓋部２はピン３４により上ケース３３に開閉自在に取り付けられている。
【００２８】
水道水は、流入側ノズル１１ａから計量室Ａ内に流入し、水量に応じて羽根車１８を回転した後、流出側ノズル１１ｂから流出する。この羽根車１８の回転によりマグネット歯車２６が回転し、その回転力が歯車列２７伝わって、指針２８が回転する。また、数字車２９が回転して、水道水の積算使用量が表示される。このような機構により、本発明の計量部３５および積算表示部４０が構成される。
【００２９】
図３に、蓋部２を開いた状態の上面図を示す。図示するように、上台板２４に形成された積算表示部４０、指針２８、メーカマーク４３、口径／最大流量４２、型式承認番号４１、水流方向４４が、上述したガラス板３０を通して上部開口５０から視認できるようになっている。
【００３０】
次に、蓋部２の上面図および断面図を図４に示す。蓋部２の上面には、製造番号等の刻印部４８、製造メーカ名４５、メーカマークまたは都市マーク４６が表示されている。また、蓋部２には凹部Ｄ（断面図参照）が形成され、検定証印を有効期限とともに表記した検定証印表記部材４が、凹部Ｄに嵌入され固定されている。検定証印表記部材４は、接着または溶着により蓋部２に対して固定されている。
【００３１】
より詳しくは、検定証印表記部材４は、一方の主表面が、計量部３５および積算表示部４０が所定の検定試験に合格したことを証明する検定証印を有効期限とともに表記する表記面Ｓとされた板状またはシート状に形成され、蓋部２の予め定められた検定証印配置領域Ａに固定的に配置されるものである。
【００３２】
図５に要部拡大図を示す。また、図６はその変形例である。これら図５及び図６に示すように、表記部材４には、表記部材規制面Ｓ１が自身の厚さ方向露出面として形成されている。また、蓋部２に対し、当該蓋部２の厚さ方向に沿って蓋部側規制面Ｓ２を形成するとともに、その蓋部側規制面Ｓ２を表記部材側規制面Ｓ１と当接させることにより、検定証印表記部材４を面内方向にて検定証印配置領域Ａに機械的に位置決め規制する検定証印表記部材面内位置決め部５が形成されている。
【００３３】
以上の構成にすると、蓋部２の上面に検定証印および有効期限が表示されるため、表示が土に埋設されにくくなり、また、蓋部２を開けなくても検定証印および有効期限を外部から容易に確認することができる。さらに、検定証印および有効期限を大きく表示することができるため、見やすい。また、蓋部側規制面Ｓ２と表記部材側規制面Ｓ１との当接により、検定証印表記部材４を位置決め固定しているため、検定証印表記部材４をしっかりと蓋部２に固定することができる。
【００３４】
なお、検定証印表記部材４の色を変えることも可能でなる。すなわち、ユーザ（水道局）によっては、蓋部２の色を変えることにより有効期限等の年度分別を行っているが、検定証印表記部材４の色を変えることにより、蓋部２の色が同じでも年度分別を行うことができる。これにより、蓋部２の共通化が図れる。
【００３５】
図５および図６を使ってより詳細に説明する。図示するように、蓋部２の検定証印配置領域Ａに対応する位置に検定証印表記部材４を収容する有底（図６）または貫通形態（図５）の凹部Ｄが形成され、凹部Ｄの内周面を蓋部側規制面Ｓ２とし、検定証印表記部材４の外周面を表記部材側規制面Ｓ１とする形で、蓋部２の凹部Ｄの内周面形成部が検定証印表記部材面内位置決め部５を形成している。
【００３６】
また、図５の実施例では、凹部Ｄの内周面が、深さ方向において蓋部２の下面側ほど面内断面積が縮小するように階段形状に形成されている。そして、検定証印表記部材４の外周面が凹部Ｄの内周面に対応する階段状に形成されている。このようにすると、検定証印表記部材４を蓋部の上面から嵌入した際に、厚さ方向の位置合わせを容易に行うことができる。すなわち、検定証印表記部材４の表記面Ｓと、蓋部２の上面Ｓ’との高さ位置を容易に合わせることができる。なお、図５のように階段形状にする他にも、テーパ状にすることも可能である。
【００３７】
また、図５の実施例では、凹部Ｄの内周面と検定証印表記部材４の外周面とが互いに嵌合形態で接着された階段状に形成されている。このようによると、検定証印表記部材４を蓋部２の上面側から嵌入した際に、下面側への抜け落ちを防止できるとともに、検定証印表記部材４と蓋部２が接着されるため、検定証印表記部材４が上方へ抜けることも無い。
【００３８】
次に、別の実施例を図７に示す。この実施例では、蓋部２の検定証印配置領域Ａ内に領域をなす蓋部上面５ａ（凹部Ｄの底面）から突出する位置決め突出部７が形成されている。他方、検定証印表記部材４には、図７及び図８の上面図に示すように、厚さ方向に貫通する位置決め孔６が形成されている。この位置決め突出部７が位置決め孔６に挿入されることで、位置決め突出部７の外周面を蓋部側規制面Ｓ２とし、位置決め孔６の内周面を表記部材側規制面Ｓ１とする形で、位置決め突出部７が検定証印表記部材面内位置決め部を形成している。このようにすると、位置決め孔６に挿入された位置決め突出部７により、検定証印表記部材４の、検定証印配置領域における面内方向の位置決めを行うことができる。
【００３９】
また、図７（Ａ），図７（Ｂ）に示すように、位置決め突出部７を位置決め孔６に挿入しつつ凹部Ｄに検定証印表記部材４を位置決めした際に、位置決め突出部７は先端部が検定証印表記部材４の上面側に突出するようにその突出高さが定められている。そして、位置決め突出部７の先端部を熱加締めすることにより、位置決め孔６よりも径大となる熱加締め部８が形成されている。この構成によると、検定証印表記部材４の位置決めを位置決め突出部７により行うことができるとともに、熱加締め部８によって、検定証印表記部材４の上面側への脱離を防止できる。
【００４０】
次に、本発明の別の実施例を図９に示す。この実施例では、蓋部２の検定証印配置領域の周縁に、当該領域をなす蓋部上面５ａ（凹部Ｄの底面）から突出する位置決め突出部７が形成されている。一方、検定証印表記部材４の外周面８０には、蓋部側規制面Ｓ１が形成されている。そして、位置決め突出部７は自身の内側側面を蓋部側規制面Ｓ２とする形で検定証印表記部材面内位置決め部を形成している。このようにすると、検定証印表記部材４の外周縁部に位置決め突出部７が位置するようになる。これにより、検定証印や有効期限の表記が位置決め突出部７の先端によって見えにくくなることを防止できる。
【００４１】
より詳しくは、図９の実施形態は、位置決め突出部７が検定証印配置領域の周方向に所定の間隔で複数形成されている。また、検定証印表記部材４の外周面８０には、各位置決め突出部７を挿通するためのガイド溝９が厚さ方向に切欠状に形成されている。このガイド溝９の内周面が、蓋部側規制面Ｓ１とされている。このように、位置決め突出部７を周方向に複数個形成することにより、検定証印表記部材４の位置決め及び固定を確実に行うことができる。
【００４２】
また、図９（Ｂ）の要部拡大図に示すように、位置決め突出部７の上端には、検定証印表記部材４の上面外周縁部と係合する係合爪７０が形成されている。係合爪７０は弾性変形可能な材料で構成されている。この係合爪７０を弾性変形させながら、検定証印表記部材４を凹部Ｄに嵌入する。嵌入が完了すると、係合爪７０が弾性復帰して図９（Ｂ）の状態となる。この係合爪７０により、検定証印表記部材４が固定され、上方への脱離が防止される。
【図面の簡単な説明】
【００４３】
【図１】本発明に係る水道メータの外観図。
【図２】水道メータの断面図。
【図３】本体ケースの上部開口から内部を見た図。
【図４】蓋部の上面図および断面図。
【図５】図４の要部拡大図。
【図６】図５の変形例。
【図７】位置決め突出部を形成し、熱加締めによって検定証印表記部材を固定した例。
【図８】位置決め孔が形成された検定証印表記部材の上面図。
【図９】別の実施例。
【図１０】従来例。
【符号の説明】
【００４４】
１  水道メータ
２  蓋部
３  本体ケース
４  検定証印表記部材
５  検定証印表記部材面内位置決め部
５ａ  （凹部Ｄの）底面
６  位置決め孔
７  位置決め突出部
８  熱加締め部
９  ガイド溝
７０  係合爪
Ｄ  凹部
Ｓ１  表記部材側規制面
Ｓ２  蓋部側規制面
【図１】
2008064558.tif 000003
【図２】
2008064558.tif 000004
【図３】
2008064558.tif 000005
【図４】
2008064558.tif 000006
【図５】
2008064558.tif 000007
【図６】
2008064558.tif 000008
【図７】
2008064558.tif 000009
【図８】
2008064558.tif 000010
【図９】
2008064558.tif 000011
【図１０】
2008064558.tif 000012